(57)【要約】      （修正有）【課題】片袖型机を折りたたみ、机全体の幅を約２分の１に短小化し机が専有していたスペースの半減化をし、折りたたみ短小化された机の引出し部のみを、収納庫・整理ダンス等に有効活用する折りたたみ机を提供する。【解決手段】机の卓板のほぼ中心線から、卓板１・２を垂直に折りたたみ、加えて支脚３と幅止め１３をも内側に直角に折りたたみ、机上（卓板）１・２裏側に装着した特製長尺ヒンジ５・６の支軸部５を折りたたみ接点部（継ぎ目部）より右側にずらし配置し、精確な折りたたみ収納ができ、机本体が専有する面積を半減化させた、平常時は机として使用されるので、特に机上（卓板）１・２の折りたたみ接点部（継ぎ目部）においては隙間・段差の弊害を最小限に抑えるために、従来のヒンジ金具は使用せず、特製長尺ヒンジ５・６を卓板裏面に精確に埋め込み装着した。【選択図】図７
0003162710.tif 000002
【実用新案登録請求の範囲】
【請求項１】
本考案は、木製机・スチール製の机を対象に、机の卓板１・２のほぼ中心線から、卓板１・２を垂直に折りたたみ、加えて支脚３と幅止め１３をも内側に直角に折りたたみ、机が専有していた面積を半減化させることを特徴とする折りたたみ机。
【請求項２】
精確な折りたたみ収納をするため、机上（卓板）１・２裏側に装着した特製長尺ヒンジの支軸部５を折りたたみ接点部（継ぎ目部）より右側にずらして装着固定することを特徴とする［請求項１］に記載する折りたたみ机。
【請求項３】
平常時は机として使用されるので、特に机上（卓板）１・２の折りたたみ接点部（継ぎ目部）においては隙間・段差を最小限に抑えるために、従来のヒンジ金具は使用せず、特製長尺ヒンジ５・６を卓板１・２の裏面に精確に埋め込み装着し、支脚３・幅止め１３の折りたたみ接点部（継ぎ目部）においても、特製中尺ヒンジ７・８・９・１０を埋め込み装着して折りたたみ接点部（継ぎ目部）の密着精度を高めた、特製中・長尺ヒンジを有することを特徴とした［請求項１］に記載した折りたたみ机。
【考案の詳細な説明】
【技術分野】
【０００１】  本考案は、従来から使用されている、木製、或いは金属製の勉強机・事務机などを、不要時に不必要な場所を専有しないよう、折りたたんで整理しようとする机に関する技術である。
【背景技術】
【０００２】  従来から折りたたみ椅子の技術は数多く存在したが、折りたたみ机は見聞した記憶がなかった、近年の平均的な家庭においては、各部屋の面積が狭い上、部屋数も少ないのが現状であり、子供が成長した後に不要になった勉強机、或いは会社等における人員削減時に不要になった事務机等、将来の再利用を想定すれば、なかなか捨てがたいものであり、そのような場合の収納整理・応急活用手段として、机本体を折りたたみ短小化し、重ね合わせるなどの工夫をすることにより、無駄な空間を無くし、同時に机自体を再活用しようとするものである。
【先行技術文献】
【特許文献】
【０００３】
【特許文献１】無し
【考案の概要】
【考案が解決しようとする課題】
【０００４】  木製机・スチール製の事務机等を対象に、片袖型机の引出し部を含めた全幅を半減させ、約半分の長さに短小化することと、形状寸法が同類の机同士であれば、短小化した後に机同士を段重ねして整理し、或いは引き出し部のみを収納庫・整理ダンスとして有効活用できる机を提供すること。
【課題を解決するための手段】
【０００５】  考案の説明を明快にするため、折りたたみ机の基本的な形状寸法を、幅＝１．２５ｍ、高さ＝０．７５ｍ、奥行き＝０．７０ｍとし、幅：高さ：奥行き＝１２５：７５：７０を構造上の寸法比率とした、原則として机上（卓板１上）の裏面には引き出し部は設けていないが、引き出しの幅が机の半分程度で、厚みが卓板の厚み程度であれば取り付けも可能である、右片袖の引出し部１１は、従来からの引出し構造である、机の卓板のほぼ中心線から、卓板１を垂直に折りたたみ、加えて支脚３と幅止め１３も内側に直角に折りたたむために、机上（卓板）裏側に装着した特製長尺ヒンジ支軸部５を、折りたたみ接点部（継ぎ目部）より右側にずらして装着固定することにより、精確な折りたたみ収納が可能となり、机本体が専有する面積を半減化させることができる、平常時は机として使用されるので、特に机上（卓板）１・２の折りたたみ接点部（継ぎ目部）においては隙間・段差を最小限に抑えるために、特製長尺ヒンジ５・６を卓板裏面に精確に埋め込み装着固定し、折りたたみ接点部（継ぎ目部）の密着精度を高めた、支脚３・幅止め１３の折りたたみ接点部（継ぎ目部）においても、特製中尺ヒンジ７・８・９・１０を精確に埋め込み装着固定することにより、隙間・段差を最小限に抑え、折りたたみ精度を高めることができた。
【考案の効果】
【０００６】  机の全幅が２分の１に短小化されたことにより、部屋内、或いは、事務所内の専有されていた机スペースが半減開放され、同時に、短小化された机自体も収納されるのではなく、机の引出し部１１のみを再利用した、収納庫・整理ダンスとして有効利用が可能になった、又、同幅員の机が複数であれば、折りたたんだ後に机同士を段重ねするなどの工夫をすることにより、専有されていた面積がさらに半減開放された、又、平常時に机として使用するにあたっても、特製長尺ヒンジ５・６の精確な作用により、卓上（机上）１・２の折りたたみ接点部（継ぎ目部）の密着精度が高く隙間・段差を感じず、何ら支障無く机上作業が可能になり、折りたたんでの運搬輸送も便利になった。
【図面の簡単な説明】
【０００７】
【図１】  折りたたみ机の正面図（Ａ−Ａ１）である。
【図２】  折りたたみ机の背面図（Ｂ−Ｂ１）である。
【図３】  折りたたみ机の側面図（Ｃ−Ｃ１）である。
【図４】  折りたたみ机の側面図（Ｄ−Ｄ１）である。
【図５】  折りたたみ手順図▲１▼である。
【図６】  折りたたみ手順図▲２▼である。
【図７】  折りたたみ手順完了の正面図である。
【図８】  折りたたみ机の二段重ね活用例図である。
【考案を実施するための形態】
・
【実施例】
【０００８】［図５］に示す通り、矢印の方向に幅止め１３・１３ａを取り外し、特製中尺ヒンジ９・１０の作用によって折りたたみ、右片袖の引出し部１１の内側に装着収納する、次に、［図６］の矢印が示す通り、支脚３・３ａを特製中尺ヒンジ７・８の作用によって内側に折りたたむ、次に特製長尺ヒンジ５・６の作用によって、卓板１と卓板受け梁４を下方向、垂直に折りたたむことによって、容易に机の全幅が２分の１に短小化される。
【符号の説明】
【０００９】  １    卓板（可動部）
２    卓板（固定部）
３    支脚
４    卓板受け梁
５    卓部特製長尺ヒンジ支軸部
６    卓部特製長尺ヒンジ板
７    支脚部特製中尺ヒンジ支軸部
８    支脚部特製中尺ヒンジ板
９    幅止め部特製中尺ヒンジ支軸部
１０    幅止め部特製中尺ヒンジ板
１１    引出し部
１２    高さ調整具
１３    幅止め
１４    幅止め固定フック
１５    幅止め固定フック受け枠
１６    支柱間幅止め
【図１】
0003162710.tif 000003
【図２】
0003162710.tif 000004
【図３】
0003162710.tif 000005
【図４】
0003162710.tif 000006
【図５】
0003162710.tif 000007
【図６】
0003162710.tif 000008
【図７】
0003162710.tif 000009
【図８】
0003162710.tif 000010
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
木製机・スチール製の机を対象に、机の卓板１・２のほぼ中心線から、卓板１・２を垂直に折りたたみ、加えて支脚３と幅止め１３をも内側に直角に折りたたみ、机が専有していた面積を半減化させることを特徴とする折りたたみ机。
【請求項２】
精確な折りたたみ収納をするため、机上（卓板）１・２裏側に装着した長尺ヒンジの支軸部５を折りたたみ接点部（継ぎ目部）より右側にずらして装着固定することを特徴とする請求項１に記載する折りたたみ机。
【請求項３】
平常時は机として使用されるので、特に机上（卓板）１・２の折りたたみ接点部（継ぎ目部）においては隙間・段差を最小限に抑えるために、長尺ヒンジ５・６を卓板１・２の裏面に精確に埋め込み装着し、支脚３・幅止め１３の折りたたみ接点部（継ぎ目部）においても、中尺ヒンジ７・８・９・１０を埋め込み装着して折りたたみ接点部（継ぎ目部）の密着精度を高めた、中・長尺ヒンジを有することを特徴とした請求項１に記載した折りたたみ机。